(57)【要約】【課題】本発明は水晶香水瓶を開示した。【解決手段】水晶香水瓶主体を含み、前記水晶香水瓶主体の中には香水溝が設置され、前記水晶香水瓶主体の中には喚起機構が装着され、前記喚起機構は前記香水溝の下端壁の中に植設された電池を含み、前記水晶香水瓶主体の中には前記香水溝の外側に位置している第一環状溝と、第二環状溝と、第三環状溝とが設置され、前記第二環状溝が前記第一環状溝の上側に位置しており、前記第三環状溝が前記第二環状溝の上側に位置しており、当該装置は水晶の光透過性ときれいな外観を利用し、水晶を多く使用し、内部に香水がたっぷりある時と香水を半分使用した時ともうすぐ使い切る時に対応した色を現し、装置をもっときれいにすると同時に使用者にタイムリーに香水を補充するように注意し、しかも温度が高くなる時に香水の揮発量を減少でき、香水の使用寿命を延ばす。【選択図】図１
2020182796.tif 000002
【特許請求の範囲】
【請求項１】
正面視で、水晶香水瓶は、水晶香水瓶主体を含み、前記水晶香水瓶主体の中には香水溝が設置され、前記水晶香水瓶主体の中には喚起機構が装着され、前記喚起機構は前記香水溝の下端壁の中に植設された電池を含み、前記水晶香水瓶主体の中には前記香水溝の外側に位置している第一環状溝と、第二環状溝と、第三環状溝とが設置され、前記第二環状溝が前記第一環状溝の上側に位置しており、前記第三環状溝が前記第二環状溝の上側に位置しており、前記第一環状溝と前記第二環状溝とが第二阻み板により隔てられ、前記第二環状溝と前記第三環状溝とが第一阻み板により隔てられ、前記香水溝の左端壁と前記第一環状溝との間且つ前記水晶香水瓶主体の中には第一フォトレジスタが植設され、前記第一フォトレジスタが第一入力線により前記電池に連通しており、前記第一環状溝の中には第一テープライトが装着され、前記第一テープライトと前記第一フォトレジスタとが第一電線により連通され、前記第一テープライトと前記電池とが第一出力線により連通され、前記第一環状溝のうち前記香水溝から離れている端壁の中には緑水晶スライスが植設され、前記第二阻み板は遮光作用を有し、前記第一テープライトが発光する時、前記第一テープライトが発した光線が前記緑水晶スライスを通し、且つ前記緑水晶スライスと同じ色の光を現し、前記第二環状溝の中には第二テープライトが装着され、前記第一フォトレジスタの上側には前記水晶香水瓶主体の中に植設された第二フォトレジスタが設置され、前記第二フォトレジスタと前記電池とが第二入力線により連通され、前記第二フォトレジスタと前記第二テープライトとが第二電線により連通され、前記第二電線と前記電池とが第二出力線により連通され、前記第二環状溝のうち前記香水溝から離れている端壁の中には黄水晶スライスが植設され、前記第三環状溝の中には第三テープライトが装着され、前記第二フォトレジスタの上側には前記水晶香水瓶主体の中に植設された第三フォトレジスタが設置され、前記第三フォトレジスタと前記電池とが第三入力線により連通され、前記第三フォトレジスタと前記第三テープライトとが第三電線により連通され、前記第三テープライトと前記電池とが第三出力線により連通され、前記第三環状溝のうち前記香水溝から離れている端壁の中には赤水晶スライスが植設され、前記香水溝の中には照射機構が設置され、前記照射機構は前記香水溝の右端壁と固定的に連結された傾斜ブロックを含み、前記傾斜ブロックの中には左方へ開口したライトガイド溝が設置され、前記ライトガイド溝の右端壁には電源が植設され、前記電源には電球が装着されたことを特徴とする水晶香水瓶。
【請求項２】
前記香水溝の上端壁には排気溝が設置され、前記排気溝の左端壁には移動溝が設置され、前記移動溝の左端壁の中には液圧溝が設置され、前記液圧溝の中にはピストンがスライドできるように設置され、前記ピストンの右端面には右端が前記移動溝の中に位置しているピストンロッドが固定的に設置され、前記ピストンロッドの右端には第一磁石が固定的に設置され、前記排気溝の右端壁には弾性溝が設置され、前記弾性溝の右端壁には弾性バネが固定的に設置され、前記弾性バネの左端には前記弾性溝とスライドできるように連結された第二磁石が固定的に設置されたことを特徴とする請求項１に記載の水晶香水瓶。
【請求項３】
前記排気溝の下端壁には上方へ開口したネジ山溝が設置され、前記ネジ山溝の中には上端が外部空間に位置しているネジ山ブロックがネジ山により連結され、前記ネジ山ブロックの下端面には第一フィルターが装着され、前記ネジ山ブロックの上端面には水晶ヘッドと水晶アクセサリーとが固定的に設置され、前記水晶ヘッドの中には前記水晶ヘッドの上端面と前記ネジ山ブロックの下端面とを貫通している気体放出溝が設置され、前記気体放出溝の中には第二フィルターが装着されたことを特徴とする請求項１に記載の水晶香水瓶。
【発明の詳細な説明】
【技術分野】
【０００１】
本発明は水晶分野を取り上げて、具体的には水晶香水瓶である。
【背景技術】
【０００２】
香水瓶は香水を蓄えることができ、且つ香水を徐々に揮発させる作用と装飾作用とを持つ用品であり、水晶は珍しくてきれいな鉱物であり、しかし、現有のほとんどの水晶製の香水瓶は機能が単一であり、香水を蓄えることと装飾作用だけを有し、内部の香水量を目で測る必要があり、しかも高温の日には香水がもっと速く揮発する。
【先行技術文献】
【特許文献】
【０００３】
【特許文献１】中国特許出願公開第１０６４６６０４４号明細書
【発明の概要】
【発明が解決しようとする課題】
【０００４】
本発明は水晶香水瓶を提供し、上記背景技術において提出した問題を解決することを目的とする。  
【課題を解決するための手段】
【０００５】
上記の目的を実現するために、本発明は以下の技術プランを提供する：  水晶香水瓶は、水晶香水瓶主体を含み、前記水晶香水瓶主体の中には香水溝が設置され、前記水晶香水瓶主体の中には喚起機構が装着され、前記喚起機構は前記香水溝の下端壁の中に植設された電池を含み、前記水晶香水瓶主体の中には前記香水溝の外側に位置している第一環状溝と、第二環状溝と、第三環状溝とが設置され、前記第二環状溝が前記第一環状溝の上側に位置しており、前記第三環状溝が前記第二環状溝の上側に位置しており、前記第一環状溝と前記第二環状溝とが第二阻み板により隔てられ、前記第二環状溝と前記第三環状溝とが第一阻み板により隔てられ、前記香水溝の左端壁と前記第一環状溝との間且つ前記水晶香水瓶主体の中には第一フォトレジスタが植設され、前記第一フォトレジスタが第一入力線により前記電池に連通しており、前記第一環状溝の中には第一テープライトが装着され、前記第一テープライトと前記第一フォトレジスタとが第一電線により連通され、前記第一テープライトと前記電池とが第一出力線により連通され、前記第一環状溝のうち前記香水溝から離れている端壁の中には緑水晶スライスが植設され、前記第二阻み板は遮光作用を有し、前記第一テープライトが発光する時、前記第一テープライトが発した光線が前記緑水晶スライスを通し、且つ前記緑水晶スライスと同じ色の光を現し、前記第二環状溝の中には第二テープライトが装着され、前記第一フォトレジスタの上側には前記水晶香水瓶主体の中に植設された第二フォトレジスタが設置され、前記第二フォトレジスタと前記電池とが第二入力線により連通され、前記第二フォトレジスタと前記第二テープライトとが第二電線により連通され、前記第二電線と前記電池とが第二出力線により連通され、前記第二環状溝のうち前記香水溝から離れている端壁の中には黄水晶スライスが植設され、前記第三環状溝の中には第三テープライトが装着され、前記第二フォトレジスタの上側には前記水晶香水瓶主体の中に植設された第三フォトレジスタが設置され、前記第三フォトレジスタと前記電池とが第三入力線により連通され、前記第三フォトレジスタと前記第三テープライトとが第三電線により連通され、前記第三テープライトと前記電池とが第三出力線により連通され、前記第三環状溝のうち前記香水溝から離れている端壁の中には赤水晶スライスが植設され、前記香水溝の中には照射機構が設置され、前記照射機構は前記香水溝の右端壁と固定的に連結された傾斜ブロックを含み、前記傾斜ブロックの中には左方へ開口したライトガイド溝が設置され、前記ライトガイド溝の右端壁には電源が植設され、前記電源には電球が装着された。
【０００６】
好ましくは、前記香水溝の上端壁には排気溝が設置され、前記排気溝の左端壁には移動溝が設置され、前記移動溝の左端壁の中には液圧溝が設置され、前記液圧溝の中にはピストンがスライドできるように設置され、前記ピストンの右端面には右端が前記移動溝の中に位置しているピストンロッドが固定的に設置され、前記ピストンロッドの右端には第一磁石が固定的に設置され、前記排気溝の右端壁には弾性溝が設置され、前記弾性溝の右端壁には弾性バネが固定的に設置され、前記弾性バネの左端には前記弾性溝とスライドできるように連結された第二磁石が固定的に設置された。
【０００７】
好ましくは、前記排気溝の下端壁には上方へ開口したネジ山溝が設置され、前記ネジ山溝の中には上端が外部空間に位置しているネジ山ブロックがネジ山により連結され、前記ネジ山ブロックの下端面には第一フィルターが装着され、前記ネジ山ブロックの上端面には水晶ヘッドと水晶アクセサリーとが固定的に設置され、前記水晶ヘッドの中には前記水晶ヘッドの上端面と前記ネジ山ブロックの下端面とを貫通している気体放出溝が設置され、前記気体放出溝の中には第二フィルターが装着された。
【発明の効果】
【０００８】
以上により、本発明の有益効果は：当該装置は水晶の光透過性ときれいな外観を利用し、水晶を多く使用し、内部に香水がたっぷりある時と香水を半分使用した時ともうすぐ使い切る時に対応した色を現し、装置をもっときれいにすると同時に使用者にタイムリーに香水を補充するように注意し、しかも温度が高くなる時に香水の揮発量を減少でき、香水の使用寿命を延ばす。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は水晶香水瓶の全体全断面の構成模式図
【図２】図２は図１の中のＡの模式図
【図３】図３は図１の中のＢの模式図
【図４】図４は図１の中のＣ―Ｃ方向の模式図
【図５】図５は図１の中のＤの模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の実施例の水晶香水瓶は、水晶香水瓶主体１０を含み、前記水晶香水瓶主体１０の中には香水溝１１が設置され、前記水晶香水瓶主体１０の中には喚起機構６２が装着され、前記喚起機構６２は前記香水溝１１の下端壁の中に植設された電池２６を含み、前記水晶香水瓶主体１０の中には前記香水溝１１の外側に位置している第一環状溝３０と、第二環状溝３５と、第三環状溝３９とが設置され、前記第二環状溝３５が前記第一環状溝３０の上側に位置しており、前記第三環状溝３９が前記第二環状溝３５の上側に位置しており、前記第一環状溝３０と前記第二環状溝３５とが第二阻み板３２により隔てられ、前記第二環状溝３５と前記第三環状溝３９とが第一阻み板３６により隔てられ、前記香水溝１１の左端壁と前記第一環状溝３０との間且つ前記水晶香水瓶主体１０の中には第一フォトレジスタ４４が植設され、前記第一フォトレジスタ４４が第一入力線２７により前記電池２６に連通しており、前記第一環状溝３０の中には第一テープライト４６が装着され、前記第一テープライト４６と前記第一フォトレジスタ４４とが第一電線４５により連通され、前記第一テープライト４６と前記電池２６とが第一出力線２３により連通され、前記第一環状溝３０のうち前記香水溝１１から離れている端壁の中には緑水晶スライス３１が植設され、前記第二阻み板３２は遮光作用を有し、前記第一テープライト４６が発光する時、前記第一テープライト４６が発した光線が前記緑水晶スライス３１を通し、且つ前記緑水晶スライス３１と同じ色の光を現し、前記第二環状溝３５の中には第二テープライト３３が装着され、前記第一フォトレジスタ４４の上側には前記水晶香水瓶主体１０の中に植設された第二フォトレジスタ４２が設置され、前記第二フォトレジスタ４２と前記電池２６とが第二入力線２８により連通され、前記第二フォトレジスタ４２と前記第二テープライト３３とが第二電線４３により連通され、前記第二電線４３と前記電池２６とが第二出力線２４により連通され、前記第二環状溝３５のうち前記香水溝１１から離れている端壁の中には黄水晶スライス３４が植設され、前記第三環状溝３９の中には第三テープライト３８が装着され、前記第二フォトレジスタ４２の上側には前記水晶香水瓶主体１０の中に植設された第三フォトレジスタ４１が設置され、前記第三フォトレジスタ４１と前記電池２６とが第三入力線２９により連通され、前記第三フォトレジスタ４１と前記第三テープライト３８とが第三電線４０により連通され、前記第三テープライト３８と前記電池２６とが第三出力線２５により連通され、前記第三環状溝３９のうち前記香水溝１１から離れている端壁の中には赤水晶スライス３７が植設され、前記香水溝１１の中には照射機構６１が設置され、前記照射機構６１は前記香水溝１１の右端壁と固定的に連結された傾斜ブロック１９を含み、前記傾斜ブロック１９の中には左方へ開口したライトガイド溝２２が設置され、前記ライトガイド溝２２の右端壁には電源２０が植設され、前記電源２０には電球２１が装着され、前記電球２１が前記第三フォトレジスタ４１と、前記第二フォトレジスタ４２と、前記第一フォトレジスタ４４に照射する時にいずれも前記第三フォトレジスタ４１と、前記第二フォトレジスタ４２と、前記第一フォトレジスタ４４との抵抗値を変えることができる。
【００１３】
有益的には、前記香水溝１１の上端壁には排気溝５４が設置され、前記排気溝５４の左端壁には移動溝５５が設置され、前記移動溝５５の左端壁の中には液圧溝１３が設置され、前記液圧溝１３の中にはピストン１２がスライドできるように設置され、前記ピストン１２の右端面には右端が前記移動溝５５の中に位置しているピストンロッド１４が固定的に設置され、前記ピストンロッド１４の右端には第一磁石４７が固定的に設置され、前記排気溝５４の右端壁には弾性溝５２が設置され、前記弾性溝５２の右端壁には弾性バネ５１が固定的に設置され、前記弾性バネ５１の左端には前記弾性溝５２とスライドできるように連結された第二磁石５３が固定的に設置され、前記第二磁石５３と前記第一磁石４７との間には吸引力が存在しており、これにより前記弾性バネ５１が引っ張られている。
【００１４】
有益的には、前記排気溝５４の下端壁には上方へ開口したネジ山溝４８が設置され、前記ネジ山溝４８の中には上端が外部空間に位置しているネジ山ブロック４９がネジ山により連結され、前記ネジ山ブロック４９の下端面には第一フィルター５０が装着され、前記ネジ山ブロック４９の上端面には水晶ヘッド１６と水晶アクセサリー１８とが固定的に設置され、前記水晶ヘッド１６の中には前記水晶ヘッド１６の上端面と前記ネジ山ブロック４９の下端面とを貫通している気体放出溝１５が設置され、前記気体放出溝１５の中には第二フィルター１７が装着され、前記香水溝１１の中には香水があり、前記第二フィルター１７と前記第一フィルター５０とが前記香水溝１１にある香水の揮発を制御する作用を有する。
【００１５】
以下、出願人は付図１〜５及び上記の本出願の水晶香水瓶の具体的な構成を参照して本出願の水晶香水瓶の使用方法を詳しく紹介する：
【００１６】
香水溝１１の中には初期状態において液面が傾斜ブロック１９の下側に位置している香水がたっぷりあり、電源２０が電球２１に電力を提供し、これにより電球２１が香水を照射して屈折を発生させ、これにより電球２１が発した光線が第一フォトレジスタ４４に照射し、同時に電池２６が第一入力線２７と、第二入力線２８と、第三入力線２９とが連接された回路により第一テープライト４６と、第二テープライト３３と、第三テープライト３８とを通電させて発光させ、第一フォトレジスタ４４が第一テープライト４６の回路に直列され、第二フォトレジスタ４２が第二テープライト３３の回路に直列され、第三フォトレジスタ４１が第三テープライト３８の回路に直列され、第一テープライト４６が赤水晶スライス３７を通して赤い光を現し、第二テープライト３３が黄水晶スライス３４を通して黄色い光を現し、第三テープライト３８が緑水晶スライス３１を通して緑の光を現し、三つの光の強度が一致しており、電球２１が発した光線が第一フォトレジスタ４４に照射し、これにより第一フォトレジスタ４４の抵抗が下がり、第一テープライト４６を流れる電流が大きくなり、緑水晶スライス３１が生じた緑の光が黄色い光と赤い光よりもっと強く、香水瓶にある香水がたっぷりあることを代表し、香水が使用される時、光の屈折により、電球２１が発した光線が第二フォトレジスタ４２に照射し、これにより第二フォトレジスタ４２の抵抗が下がり、これにより黄水晶スライス３４が生じた黄色い光が赤い光と緑の光よりもっと強く、香水が半分使われたことを代表し、香水をもうすぐ使い切る時、赤水晶スライス３７が生じた赤い光が黄色い光と緑の光よりもっと強く、香水を補充する必要があることを代表する。
【００１７】
水晶アクセサリー１８を回転させ、ネジ山溝４８とネジ山ブロック４９とのネジ山による連結を通じてネジ山ブロック４９を回転させて出すことができ、香水溝１１の中に香水を補充し、外部空間の温度が高すぎる時、ピストン１２の左側の液圧溝１３にある液体が膨張し、第一磁石４７を推し動かして右方へ運動させ、これにより第一磁石４７と第二磁石５３との間の吸引力が増大し、第二磁石５３を引き動かして排気溝５４の開口を小さくし、これにより香水の揮発を減少する。
【００１８】
本発明の有益効果は：当該装置は水晶の光透過性ときれいな外観を利用し、水晶を多く使用し、内部に香水がたっぷりある時と香水を半分使用した時ともうすぐ使い切る時に対応した色を現し、装置をもっときれいにすると同時に使用者にタイムリーに香水を補充するように注意し、しかも温度が高くなる時に香水の揮発量を減少でき、香水の使用寿命を延ばす。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020182796.tif 000003
【図２】
2020182796.tif 000004
【図３】
2020182796.tif 000005
【図４】
2020182796.tif 000006
【図５】
2020182796.tif 000007
【手続補正書】
【提出日】令和2年3月12日(2020.3.12)
【手続補正１】
【補正対象書類名】特許請求の範囲
【補正対象項目名】請求項１
【補正方法】変更
【補正の内容】
【請求項１】
正面視で、水晶香水瓶は、水晶香水瓶主体を含み、前記水晶香水瓶主体の中には香水溝が設置され、前記水晶香水瓶主体の中には喚起機構が装着され、前記喚起機構は前記香水溝の下端壁の中に植設された電池を含み、前記水晶香水瓶主体の中には前記香水溝の外側に位置している第一環状溝と、第二環状溝と、第三環状溝とが設置され、前記第二環状溝が前記第一環状溝の上側に位置しており、前記第三環状溝が前記第二環状溝の上側に位置しており、前記第一環状溝と前記第二環状溝とが第二阻み板により隔てられ、前記第二環状溝と前記第三環状溝とが第一阻み板により隔てられ、前記香水溝の左端壁と前記第一環状溝との間且つ前記水晶香水瓶主体の中には第一フォトレジスタが植設され、前記第一フォトレジスタが第一入力線により前記電池に連通しており、前記第一環状溝の中には第一テープライトが装着され、前記第一テープライトと前記第一フォトレジスタとが第一電線により連通され、前記第一テープライトと前記電池とが第一出力線により連通され、前記第一環状溝のうち前記香水溝から離れている端壁の中には緑水晶スライスが植設され、前記第二阻み板は遮光作用を有し、前記第一テープライトが発光する時、前記第一テープライトが発した光線が前記緑水晶スライスを通し、且つ前記緑水晶スライスと同じ色の光を現し、前記第二環状溝の中には第二テープライトが装着され、前記第一フォトレジスタの上側には前記水晶香水瓶主体の中に植設された第二フォトレジスタが設置され、前記第二フォトレジスタと前記電池とが第二入力線により連通され、前記第二フォトレジスタと前記第二テープライトとが第二電線により連通され、前記第二電線と前記電池とが第二出力線により連通され、前記第二環状溝のうち前記香水溝から離れている端壁の中には黄水晶スライスが植設され、前記第三環状溝の中には第三テープライトが装着され、前記第二フォトレジスタの上側には前記水晶香水瓶主体の中に植設された第三フォトレジスタが設置され、前記第三フォトレジスタと前記電池とが第三入力線により連通され、前記第三フォトレジスタと前記第三テープライトとが第三電線により連通され、前記第三テープライトと前記電池とが第三出力線により連通され、前記第三環状溝のうち前記香水溝から離れている端壁の中には赤水晶スライスが植設され、前記香水溝の中には照射機構が設置され、前記照射機構は前記香水溝の右端壁と固定的に連結された傾斜ブロックを含み、前記傾斜ブロックの中には左方へ開口したライトガイド溝が設置され、前記ライトガイド溝の右端壁には電源が植設され、前記電源には電球が装着され、前記第一テープライトが前記赤水晶スライスを通して赤い光を現し、前記第二テープライトが前記黄水晶スライスを通して黄色い光を現し、前記第三テープライトが前記緑水晶スライスを通して緑の光を現し、三つの光の強度が一致しており、前記電球が発した光線が前記第一フォトレジスタに照射し、これにより前記第一フォトレジスタの抵抗が下がり、前記第一テープライトを流れる電流が大きくなり、前記緑水晶スライスが生じた緑の光が黄色い光と赤い光よりもっと強く、前記香水瓶にある香水がたっぷりあることを代表し、香水が使用される時、光の屈折により、前記電球が発した光線が前記第二フォトレジスタに照射し、これにより前記第二フォトレジスタの抵抗が下がり、これにより前記黄水晶スライスが生じた黄色い光が赤い光と緑の光よりもっと強く、香水が半分使われたことを代表し、香水をもうすぐ使い切る時、前記赤水晶スライスが生じた赤い光が黄色い光と緑の光よりもっと強く、香水を補充する必要があることを代表することを特徴とする水晶香水瓶。